(57)【要約】【課題】  フルイメージの記録およびフルイメージの再建方法を提供するものである。【解決手段】  フルイメージの撮影および記録装置によって行われるフルイメージの記録方法であって、イメージ取得装置を使用して所定の速度で回転される回転ステージにおける目標物体に対して撮影を行うとともに、撮影したイメージを表示パネルに伝送するステップと、発光ユニットを使用してコヒーレント光を第１反射ミラーに発射するステップと、第１反射ミラーがコヒーレント光を接収するとともに、コヒーレント光をスペクトロスコピーに反射するステップと、スペクトロスコピーにてコヒーレント光を第２オプティカル経路に沿って第２偏光シートに反射してレファレンスライトになるステップと、第２偏光シートにてコヒーレント光を偏光して第３反射ミラーに伝送するステップと、第３反射ミラーにて偏光したコヒーレント光を第２オプティカル経路に沿ってフルイメージフィルムに反射するステップと、スペクトロスコピーにてコヒーレント光を第１オプティカル経路に沿って第１偏光シートに伝送してオブジェクトライトになるステップと、第１偏光シートにてコヒーレント光を偏光して第２反射ミラーに伝送するステップと、第２反射ミラーにて偏光したコヒーレント光を第１オプティカル経路に沿って表示パネルに反射するとともに、表示パネルにてそのイメージ情報を偏光したコヒーレント光と共にフルイメージフィルムに伝送するステップと、第１オプティカル経路からのオブジェクトライトと、第２オプティカル経路からのレファレンスライトとが互いに干渉することにより、フルイメージフイルムにフルイメージを形成するステップと、を有することを特徴とする。【選択図】図３
2018508028.tif 000002
【特許請求の範囲】
【請求項１】
イメージ取得装置と回転ステージとを有するフルイメージの撮影装置と、
発光ユニットと、第１反射ミラーと、スペクトロスコピーと、第１偏光シートと、第２反射ミラーと、表示パネルと、フルイメージフィルムと、第２偏光シートと、第３反射ミラーとを有するフルイメージ記録装置と、を有するフルイメージの撮影および記録装置によって行われるフルイメージの記録方法であって、
前記フルイメージの記録方法は、
前記イメージ取得装置を使用して所定の速度で回転される前記回転ステージにおける目標物体に対して撮影を行うとともに、撮影したイメージを前記表示パネルに伝送するステップと、
前記発光ユニットを使用してコヒーレント光を前記第１反射ミラーに発射するステップと、
前記第１反射ミラーが前記コヒーレント光を接収するとともに、前記コヒーレント光を前記スペクトロスコピーに反射するステップと、
前記スペクトロスコピーにて前記コヒーレント光を第２オプティカル経路に沿って前記第２偏光シートに反射してレファレンスライトになるステップと、
前記第２偏光シートにて前記コヒーレント光を偏光して前記第３反射ミラーに伝送するステップと、
前記第３反射ミラーにて前記偏光したコヒーレント光を前記第２オプティカル経路に沿って前記フルイメージフィルムに反射するステップと、
前記スペクトロスコピーにて前記コヒーレント光を第１オプティカル経路に沿って前記第１偏光シートに伝送してオブジェクトライトになるステップと、
前記第１偏光シートにて前記コヒーレント光を偏光して前記第２反射ミラーに伝送するステップと、
前記第２反射ミラーにて前記偏光したコヒーレント光を前記第１オプティカル経路に沿って前記表示パネルに反射するとともに、前記表示パネルにてそのイメージ情報を前記偏光したコヒーレント光と共に前記フルイメージフィルムに伝送するステップと、
前記第１オプティカル経路からのオブジェクトライトと、前記第２オプティカル経路からのレファレンスライトとが互いに干渉することにより、前記フルイメージフイルムにフルイメージを形成するステップと、を有することを特徴とするフルイメージの記録方法。
【請求項２】
前記第１偏光シートと前記第２偏光シートは、ステッピングモーターによって駆動され同じの速度で３６０°回転可能とすることを特徴とする請求項１に記載のフルイメージの記録方法。
【請求項３】
前記第１オプティカル経路と前記第２オプティカル経路の長さは、同様であることを特徴とする請求項１に記載のフルイメージの記録方法。
【請求項４】
前記回転ステージは、ステッピングモーターによって３６０°回転可能とすることを特徴とする請求項１に記載のフルイメージの記録方法。
【請求項５】
前記前記イメージ取得装置は、ＣＣＤカメラであることを特徴とする請求項１に記載のフルイメージの記録方法。
【請求項６】
前記表示パネルは、液晶の表示パネルであることを特徴とする請求項１に記載のフルイメージの記録方法。
【請求項７】
ランプと、前記ランプとフルイメージの情報が記録されるフルイメージフィルムとの間に設けられる偏光シートとを有するフルイメージの再建装置によって行われるフルイメージの再建方法であって、
前記ランプから光線を発射すると共に、下方から前記フルイメージフィルムに照射するステップと、
前記偏光シートを所定の速度で回転させることにより、前記ランプからの光線を偏光させ、前記光線の偏光方向を変更するステップと、
前記偏光方向が変更された偏光光線を前記フルイメージフィルムに照射することにより、物体のフルイメージを再建するステップと、を有し、
前記物体のフルイメージは、前記フルイメージフィルムの上方に表示された、浮遊且つ拡大される２次元のイメージであることを特徴とするフルイメージの再建方法。
【請求項８】
前記偏光シートの回転速度が４２Ｈｚを超えるとき、前記浮遊且つ拡大される２次元のイメージは、視覚記銘作用により、脳の認知によって撮影された物体の各角度で現れるイメージに基づき３次元の立体フルイメージが現れることになるため、フルイメージの再建を完成することを特徴とする請求項７に記載のフルイメージの再建方法。
【請求項９】
前記偏光シートは、ステッピングモーターによって駆動され所定の速度で３６０°回転可能とすることを特徴とする請求項７に記載のフルイメージの再建方法。
【請求項１０】
前記ランプは、ＬＥＤランプまたは白熱灯であることを特徴とする請求項７に記載のフルイメージの再建方法。
【発明の詳細な説明】
【技術分野】
【０００１】
本発明は、イメージの記録およびイメージの再建方法に関するものであり、特にフルイメージの記録およびフルイメージの再建方法に関するものである。
【背景技術】
【０００２】
ホログラフィーフィルム（ｈｏｌｏｇｒａｐｈｉｃ  ｆｉｌｍ）製作の基本原理は、まず、イメージ取得装置、例えばＣＣＤカメラによって物置ステージにおける物体のイメージを取得する。同時に、発光装置、例えばレーザー源からコヒーレント光をスペクトロスコピーモジュールに発射し、当該コヒーレント光をオブジェクトライト（ｏｂｊｅｃｔ  ｌｉｇｈｔ）とレファレンスライト（ｒｅｆｅｒｅｎｃｅ  ｌｉｇｈｔ）に分けている。そして、前記オブジェクトライトは、オブジェクトライトのオプティカル経路に沿って、前記イメージ取得装置にて取得したイメージをフルイメージフィルムに投射して伝送する。また、前記レファレンスライトは、レファレンスライトのオプティカル経路に沿って、反射によってフルイメージフィルムに伝送される。そして、前記オブジェクトライトと前記レファレンスライトは、同時に前記フルイメージフィルムに照射することにより、オプティカルの干渉を起こして複数の干渉縞（ｉｎｔｅｒｆｅｒｅｎｃｅ  ｆｒｉｎｇｅ）イメージを形成する。この露光後のフルイメージフィルムは、現像によって物体のイメージを記録したホログラフィーフィルムとなる。このホログラフィーフィルムに対しては、レファレンスライトを再建の光源として投射すると、その物体に係わる３次元の立体イメージを表示することができる。
【発明の概要】
【発明が解決しようとする課題】
【０００３】
従来の複合式ホログラフィーは、シリンダー型と円錐型を含み、イメージを記録するときにフルイメージフィルムを湾曲しなければならなく、或いは、イメージを再建するときに、フルイメージフィルムをシリンダー型または円錐型に湾曲しなければならない。ゆえに、この方式にて再建した物体のイメージは、変形されてしまう（ｄｉｓｔｏｒｔｉｏｎ）という問題を有している。また、この問題を解決するために、円盤型の複合式ホログラフィーが使用されることがある。しかしながら、シリンダー型や円錐型、ひいては円盤型の複合式ホログラフィーでは、シリンダー型のレンズを使用しなければならないため、これから製造された複合式のフルイメージフィルムは、細く狭い扇形の小さいフルイメージフィルムであり、そしてその再建イメージは、複数の小さいフルイメージフィルムを組み合わせて再建するものであるため、イメージ収差を発生してしまうことがある。また、再建されたイメージでは、柵状の縞を発生し、即ち“ピケット・フェンス効果”を発生するため、表示イメージの品質を悪くなる現象がある。
【０００４】
更に、円盤型の複合式ホログラフィーが使用されても、現像時に露光を繰り返して行う必要があるため、再建したイメージの輝度が足りなく、且つ解析度も良くなく、その記録イメージのサイズを小さくすることができず（例えば機密保護ラベルの応用）、その使用範囲が制限されてしまう。ゆえに、この円盤型の複合式ホログラフィーから発生したイメージでも完璧ではない。
【０００５】
上述のように、現在のオプティカルフルイメージフィルムの記録や再建の技術には、まだ様々な欠点が存在するので、更に改良する必要がある。
【課題を解決するための手段】
【０００６】
上述ような現有の技術に存在する欠点を解決するために、本発明は、フルイメージの記録およびフルイメージの再建方法を提供するものであり、オプティカル経路に二つのオプティカル偏光シートが設けられることにより、イメージの変形や“ピケット・フェンス効果”をなくし、フルイメージフィルムにフルイメージをより精確に記録することができ、しかも記録されたフルイメージのサイズを縮めることができるとともに、より大きいサイズである再建イメージを発生することができるので、再建イメージの輝度を向上するとともに、再建されたフルイメージの品質と解析度を改善することができる。
【０００７】
本発明の目的は、フルイメージの記録およびフルイメージの再建方法を提供するものである。目標物体が回転ステージで回転する時、イメージ取得装置がこの回転中の目標物体に対して３６０°のイメージを撮影しながら当該３６０°のイメージを液晶の表示パネルに伝送し、この同時に、オプティカル経路に設けられる二つのオプティカル偏光シートにより、毎回の露光の間に、オブジェクトライトとレファレンスライトの偏光方向を僅かの角度に回転し、前記目標物体の３６０°イメージがフルイメージフィルムに記録するまで、フルイメージフィルムへ繰り返して露光することにより前記イメージを記録し、これにより、前記目標物体に対するフルイメージの撮影と記録を完成する。
【０００８】
本発明の他の目的は、フルイメージの記録方法を提供するものである。この方法は、フルイメージの撮影および記録装置によって行い、前記フルイメージの撮影および記録装置は、フルイメージの撮影装置と、フルイメージ記録装置とを有する。前記フルイメージの撮影装置は、イメージ取得装置と回転ステージとを有する。前記フルイメージ記録装置は、発光ユニットと、第１反射ミラーと、スペクトロスコピーと、第１偏光シートと、第２反射ミラーと、表示パネルと、フルイメージフィルムと、第２偏光シートと、第３反射ミラーとを有している。前記フルイメージの記録方法は、下記のステップを有する。前記イメージ取得装置を使用して所定の速度で回転される前記回転ステージにおける目標物体に対して撮影を行うとともに、撮影したイメージを前記表示パネルに伝送し、前記発光ユニットを使用してコヒーレント光を前記第１反射ミラーに発射するステップと、前記第１反射ミラーが前記コヒーレント光を接収するとともに、前記コヒーレント光を前記スペクトロスコピーに反射するステップと、前記スペクトロスコピーにて前記コヒーレント光を第２オプティカル経路（レファレンスライトのオプティカル経路）に沿って前記第２偏光シートに反射してレファレンスライトになるステップと、前記第２偏光シートにて前記コヒーレント光を偏光して前記第３反射ミラーに伝送するステップと、前記第３反射ミラーにて前記偏光したコヒーレント光を前記第２オプティカル経路に沿って前記フルイメージフィルムに反射するステップと、前記スペクトロスコピーにて前記コヒーレント光を第１オプティカル経路（オブジェクトライトのオプティカル経路）に沿って前記第１偏光シートに伝送してオブジェクトライトになるステップと、前記第１偏光シートにて前記コヒーレント光を偏光して前記第２反射ミラーに伝送するステップと、前記第２反射ミラーにて前記偏光したコヒーレント光を前記第１オプティカル経路に沿って前記表示パネルに反射するとともに、前記表示パネルにてそのイメージ情報を前記偏光したコヒーレント光と共に前記フルイメージフィルムに伝送するステップと、前記第１オプティカル経路からのオブジェクトライトと、前記第２オプティカル経路からのレファレンスライトとが互いに干渉することにより、前記フルイメージフイルムにフルイメージを形成するステップと、を有している。
【０００９】
また、本発明は、フルイメージの再建方法を提供するものである。前記方法は、フルイメージの再建装置によって行い、前記フルイメージの再建装置は、ランプと偏光シートを有する。前記偏光シートは、前記ランプとフルイメージフィルムとの間に設けられ、前記フルイメージフィルムには、フルイメージの情報が記録される。前記フルイメージの再建方法は、下記のステップを有する。前記ランプから光線を発射すると共に、前記偏光シートを介して下方から前記フルイメージフィルムに照射するステップと、前記偏光シートを所定の速度で回転させることにより、前記ランプからの光線を偏光させ、前記光線の偏光方向を変更するステップと、前記偏光方向が変更された偏光光線を前記フルイメージフィルムに照射することにより、物体のフルイメージを再建するステップと、を有している。
【００１０】
本発明は、上述の方式によって各角度で撮影し記録されたイメージを再建することにより、前記フルイメージフィルムに浮遊且つ拡大される２次元のイメージを表示することができる。前記浮遊且つ拡大される２次元のイメージは、目の視覚記銘作用（Ｖｉｓｕａｌ  ｒｅｔｅｎｔｉｏｎ）により、脳の認知によって物体の各角度で現れる３次元の立体フルイメージが現れることになる。
【００１１】
本発明の特徴とメリットとしては、偏光方向が等しいオブジェクトライトとレファレンスライトを利用すると共に、フルイメージフィルムに照射して露光を行うことにより、サイズがより小さいフルイメージが製作することができる（１ｃｍ×１ｃｍより小さい）。また、本発明では、オプティカル経路において偏光シートが使用されるため、従来の円盤型の複合式ホログラフィーに使用されるシリンダーレンズを使用しないため、イメージの変形を起こさなく、しかも“ピケット・フェンス効果”もなくすことができる。また、イメージの再建する時に、より高い高さでより大きい２次元の浮遊イメージを表すことができ、３６０°のイメージを提供することができる。
【図面の簡単な説明】
【００１２】
【図１】本発明に係わるフルイメージの記録方法の実施例に使用されるフルイメージの撮影および記録装置を示す概略図である。
【図２ａ】本発明に係わる実施例によって偏光されたオブジェクトライトと偏光されたレファレンスライトを介してフルイメージをフルイメージフィルムに記録する概略図である。
【図２ｂ】本発明に係わる実施例によって偏光されたオブジェクトライトと偏光されたレファレンスライトを介してフルイメージをフルイメージフィルムに記録する概略図である。
【図２ｃ】本発明に係わる実施例によって偏光されたオブジェクトライトと偏光されたレファレンスライトを介してフルイメージをフルイメージフィルムに記録する概略図である。
【図３】本発明に係わるフルイメージの記録方法の実施例を示すフローチャートである。
【図４ａ】本発明に係わる実施例によってフルイメージの再建装置でフルイメージフィルムにおけるフルイメージを再建する概略図である。
【図４ｂ】本発明に係わる実施例によってフルイメージの再建装置でフルイメージフィルムにおけるフルイメージを再建する概略図である。
【図４ｃ】本発明に係わる実施例によってフルイメージの再建装置でフルイメージフィルムにおけるフルイメージを再建する概略図である。
【図５】本発明に係わるフルイメージの再建方法の実施例を示すフローチャートである。
【発明を実施するための形態】
【００１３】
本発明の技術特徴とメリットを更に明白するために、具体的な実施例と合わせて添付図面によって詳細に説明するが、本発明は、これらの実施例に限られていない。
【００１４】
まず、図１に示すように、それは、本発明に係わるフルイメージの記録方法の実施例に使用されるフルイメージの撮影および記録装置を示す概略図である。即ち、本発明は、フルイメージの記録およびフルイメージの再建方法を提供するものである。その方法は、フルイメージの撮影および記録装置によって行う。前記フルイメージの撮影および記録装置（１００）は、フルイメージの撮影装置（１１０）と、フルイメージ記録装置（１２０）とを有する。前記フルイメージの撮影装置（１１０）は、イメージ取得装置（１１１）と回転ステージ（１１２）とを有する。前記フルイメージ記録装置（１２０）は、発光ユニット（１２１）と、第１反射ミラー（１２２）と、スペクトロスコピー（１２３）と、第１偏光シート（１２４）と、第２反射ミラー（１２５）と、表示パネル（１２６）と、フルイメージフィルム（１２９）と、第２偏光シート（１２７）と、第３反射ミラー（１２８）とを有している。
【００１５】
本発明に係わるフルイメージの撮影および記録装置は、各種のフルイメージの記録システムに応用することができ、例えば、フルイメージをレインボーフルイメージフィルム、反射式フルイメージフィルム、多視角フルイメージフィルム、フルカラーフルイメージフィルムまたは集積式フルイメージフィルムなどに使用することができるが、本発明はこれに限らない。
【００１６】
本発明に係わるフルイメージの記録方法を行うとき、まず、目標物体（１１３）を回転ステージ（１１２）に設置すると共に、所定の回転速度で３６０°に回転し、前記イメージ取得装置（１１１）によって前記目標物体（１１３）に狙い合う。よって、前記回転ステージ（１１２）が所定の速度で３６０°に回転する際、前記イメージ取得装置（１１１）が前記目標物体（１１３）のイメージを撮影することができる。このイメージが表示パネル（１２６）によって表示されることができる。この同時に、前記発光ユニット（１２１）が前記第１反射ミラー（１２２）へコヒーレント光を発射し、前記第１反射ミラー（１２２）が前記コヒーレント光を接収してから前記スペクトロスコピー（１２３）へ反射する。前記スペクトロスコピー（１２３）は、前記コヒーレント光の一部を前記第２偏光シート（１２７）に反射してレファレンスライトになるとともに、前記第２偏光シート（１２７）にて前記レファレンスライトを偏光してから前記第３反射ミラー（１２８）に伝送し、最終的に前記レファレンスライトを前記フルイメージフィルム（１２９）に反射する。前述のように、前記スペクトロスコピー（１２３）から前記第３反射ミラー（１２８）を経由して前記フルイメージフィルム（１２９）までのオプティカル経路は、第２オプティカル経路（Ｐ２）と称し（レファレンスライトのオプティカル経路ともいえる）、その経路長さはｄ２である。
【００１７】
本実施例において、前記スペクトロスコピー（１２３）にて前記コヒーレント光を前記第２偏光シート（１２７）に反射する同時に、前記スペクトロスコピー（１２３）は、前記コヒーレント光の他の一部を透過させ前記第１偏光シート（１２４）に伝送し、前記第１偏光シート（１２４）にて前記コヒーレント光を偏光して前記第２反射ミラー（１２５）に伝送し、そして前記表示パネル（１２６）に反射するとともに、前記表示パネル（１２６）にてそのイメージ情報を前記偏光したコヒーレント光と共に前記フルイメージフィルム（１２９）に伝送し、そして前記レファレンスライトとが互いに干渉することにより、フルイメージを形成する。前述のように、前記スペクトロスコピー（１２３）から前記第２反射ミラー（１２５）を経由して前記フルイメージフィルム（１２９）までのオプティカル経路は、第１オプティカル経路（Ｐ１）と称し（オブジェクトライトのオプティカル経路ともいえる）、その経路長さはｄ１である。
【００１８】
上述の説明において、前記第１偏光シート（１２４）と前記第２偏光シート（１２７）は、ステッピングモーター（符号なし）によって駆動することにより、同じの角速度で同期回転することができる。また、前記スペクトロスコピー（１２３）から前記フルイメージフィルム（１２９）までのレファレンスライトのオプティカル経路長さｄ２と前記スペクトロスコピー（１２３）から前記フルイメージフィルム（１２９）までのオブジェクトライトのオプティカル経路長さｄ１は、等しいである。
【００１９】
本実施例において、前記発光ユニット（１２１）は、ガスレーザーの発射器、二酸化炭素レーザーの発射器、液体レーザーの発射器、固体レーザーの発射器または半導体レーザーの発射器であってもよいが、本発明では、これらに限らない。また、本実施例において、前記コヒーレント光は、可視光であっても不可視光であってもよい。前記イメージ取得装置（１１１）は、ＣＣＤカメラである。また、前記表示パネル（１２６）は、液晶の表示パネルである。
【００２０】
次に、図２ａないし図２ｃに示すように、本発明に係わる実施例によって偏光されたオブジェクトライトと偏光されたレファレンスライトを介してフルイメージをフルイメージフィルムに記録する概略図である。図２ａに示すように、図１に示される第１偏光シート（１２４）と第２偏光シート（１２７）は、ともにステッピングモーターによって等しい角速度で同期回転するので、二つの偏光シート（１２４）（１２７）にて偏光されたオブジェクトライトと偏光されたレファレンスライトの偏光角度が１°であるとき、これらのライトがフルイメージフィルム（２１０）に到着して干渉縞パターンが発生されることにより、フルイメージを形成して前記フルイメージフィルム（２１０）に記録し、これにより、前記イメージ取得装置（１１１）による撮影した、前記目標物体（１１３）が１°回転する際（その左側）のイメージを記録できる。そして、図２ｂに示すように、同様の原理で、前記第１偏光シート（１２４）と前記第２偏光シート（１２７）にて偏光されたオブジェクトライトと偏光されたレファレンスライトの偏光角度が２°であるとき、これらのライトがフルイメージフィルム（２１０）に到着して干渉縞パターンが発生されることにより、フルイメージを形成して前記フルイメージフィルム（２１０）に記録し、これにより、前記イメージ取得装置（１１１）による撮影した、前記目標物体（１１３）が２°回転する際（その右側）のイメージを記録できる。さらに、図２ｃに示すように、上述の説明通り、Ｌ１は、オブジェクトライトとレファレンスライトの偏光角度が１°であるとき、前記フルイメージフィルム（２１０）のＬ１箇所に前記目標物体（１１３）の左側のイメージを記録することを示す。Ｒ２は、オブジェクトライトとレファレンスライトの偏光角度が２°であるとき、前記フルイメージフィルム（２１０）のＲ２箇所に前記目標物体（１１３）の右側のイメージを記録することを示す。Ｌ３は、オブジェクトライトとレファレンスライトの偏光角度が３°であるとき、前記フルイメージフィルム（２１０）のＬ３箇所に前記目標物体（１１３）の左側のイメージを記録することを示す。よって、各露光の間に、オブジェクトライトとレファレンスライトの偏光方向が小さい角度ずつ回転して繰り返して前記フルイメージフィルム（２１０）に記録し、そして物体の３６０°のイメージを前記フルイメージフィルム（２１０）に記録することにより、前記目標物体（１１３）に対するフルイメージの撮影と記録を完成する。
【００２１】
そして、図３に示すように、本発明に係わるフルイメージの記録方法の実施例を示すフローチャートである。同図３に示すように、このフルイメージの記録方法は、フルイメージの撮影および記録装置によって行う。前記フルイメージの撮影および記録装置は、フルイメージの撮影装置（１１０）と、フルイメージ記録装置（１２０）とを有する。前記フルイメージの撮影装置（１１０）は、イメージ取得装置（１１１）と回転ステージ（１１２）とを有する。前記フルイメージ記録装置（１２０）は、発光ユニット（１２１）と、第１反射ミラー（１２２）と、スペクトロスコピー（１２３）と、第１偏光シート（１２４）と、第２反射ミラー（１２５）と、表示パネル（１２６）と、フルイメージフィルム（１２９）と、第２偏光シート（１２７）と、第３反射ミラー（１２８）とを有している。前記フルイメージの記録方法（３００）は、下記のステップを有している。前記イメージ取得装置（１１１）を使用して所定の速度で回転される前記回転ステージ（１１２）における目標物体（１１３）に対して撮影を行うとともに、撮影したイメージを前記表示パネル（１２６）に伝送するステップ（３１０）と、前記発光ユニット（１２１）を使用してコヒーレント光を前記第１反射ミラー（１２２）に発射するステップ（３２０）と、前記第１反射ミラー（１２２）が前記コヒーレント光を接収するとともに、前記コヒーレント光を前記スペクトロスコピー（１２３）に反射するステップ（３３０）と、前記スペクトロスコピー（１２３）にて前記コヒーレント光を第２オプティカル経路（Ｐ２）（レファレンスライトのオプティカル経路）に沿って前記第２偏光シート（１２７）に反射してレファレンスライトになるステップ（３４０）と、前記第２偏光シート（１２７）にて前記コヒーレント光を偏光して前記第３反射ミラー（１２８）に伝送するステップ（３５０）と、前記第３反射ミラー（１２８）にて前記偏光したコヒーレント光を前記第２オプティカル経路（Ｐ２）に沿って前記フルイメージフィルム（１２９）に反射するステップ（３６０）と、前記スペクトロスコピー（１２３）にて前記コヒーレント光を第１オプティカル経路（Ｐ１）（オブジェクトライトのオプティカル経路）に沿って前記第１偏光シート（１２４）に伝送してオブジェクトライトになるステップ（３７０）と、前記第１偏光シート（１２４）にて前記コヒーレント光を偏光して前記第２反射ミラー（１２５）に伝送するステップ（３８０）と、前記第２反射ミラー（１２５）にて前記偏光したコヒーレント光を前記第１オプティカル経路（Ｐ１）に沿って前記表示パネル（１２６）に反射するとともに、前記表示パネル（１２６）にてそのイメージ情報を前記偏光したコヒーレント光と共に前記フルイメージフィルム（１２９）に伝送するステップ（３９０）と、前記第１オプティカル経路（Ｐ１）からのオブジェクトライトと、前記第２オプティカル経路（Ｐ２）からのレファレンスライトとが互いに干渉することにより、前記フルイメージフイルム（１２９）にフルイメージを形成するステップ（３９５）と、を有している。
【００２２】
上述の説明において、前記第１偏光シート（１２４）と前記第２偏光シート（１２７）は、モーター（図示なし）によって駆動され同じの速度で３６０°回転可能とする。前記第１オプティカル経路（Ｐ１）と前記第２オプティカル経路（Ｐ２）の長さは、同様である。前記回転ステージ（１１２）は、モーターによって３６０°回転可能とする。
【００２３】
また、本発明は、フルイメージの再建方法も提供している。図４ａ、図４ｂ及び図４ｃに示すように、本発明に係わる実施例によってフルイメージの再建装置でフルイメージフィルムにおけるフルイメージを再建する概略図である。図４ａに示すように、フルイメージの再建装置（４００）は、例えばＬＥＤランプであるランプ（４１０）と、前記ランプ（４１０）とフルイメージフィルム（４３０）の間に設けられる偏光シート（４２０）とを有する。本発明を使用するときに、前記のランプ（４１０）から光線を発射し、下方から前記フルイメージフィルム（４３０）に対して照射するとともに、前記偏光シート（４２０）を回転する。前記偏光シート（４２０）の回転に伴い、偏光光の偏光方向も変更され、よって異なる角度で撮影されたフルイメージを表示することができる。図４ａにおいて上方向へ向く矢印に示すように、偏光方向は、１°であるとき、記録される物体の左側のイメージを表示することができる。図４ｂにおいて上方向へ向く矢印に示すように、偏光方向は、２°であるとき、記録される物体の右側のイメージを表示することができる。図４ｃにおけるＬ１に示すように、偏光光の偏光角度は、１°であるとき、記録される物体の左側のイメージを表示する。Ｒ２に示すように、偏光光の偏光角度は、２°であるとき、記録される物体の右側のイメージを表示する。Ｌ３に示すように、偏光光の偏光角度は、３°であるとき、記録される物体の左側のイメージを表示する。
【００２４】
このように、撮影された物体の３６０°のイメージを再建するまで、前記偏光シート（４２０）の回転に伴い、偏光光の偏光角度が変更し続くことにより、前記物体に係わるフルイメージの再建を完成する。また、前記偏光シート（４２０）の回転速度が４２Ｈｚを超えるとき、視覚記銘作用により、脳の認知によって撮影された物体の各角度で現れるイメージに基づき３次元の立体フルイメージが現れることになるため、フルイメージの再建を完成する。
【００２５】
図５に示すように、本発明に係わるフルイメージの再建方法の実施例を示すフローチャートである。図５に示すように、前記フルイメージの再建方法は、フルイメージの再建装置によって行い、前記フルイメージの再建装置は、ランプ（４１０）と偏光シート（４２０）を有し、前記偏光シート（４２０）は、前記ランプ（４１０）とフルイメージフィルム（４３０）との間に設けられ、前記フルイメージフィルム（４３０）には、フルイメージの情報が記録される。前記フルイメージの再建方法（５００）は、下記のステップを有する。前記ランプ（４１０）から光線を発射すると共に、下方から前記フルイメージフィルム（４３０）に照射するステップ（５１０）と、前記偏光シート（４２０）を所定の速度で回転させることにより、前記ランプ（４１０）からの光線を偏光させ、前記光線の偏光方向を変更するステップ（５２０）と、前記偏光方向が変更された偏光光線を前記フルイメージフィルム（４３０）に照射することにより、物体のフルイメージを再建するステップ（５３０）と、を有している。前記物体のフルイメージは、前記フルイメージフィルム（４３０）の上方に表示された、浮遊且つ拡大される２次元のイメージである。前記浮遊且つ拡大される２次元のイメージは、目の視覚記銘作用により、脳の認知によって物体の各角度で現れる３次元の立体フルイメージが現れることになる。
【００２６】
上述の説明において、前記偏光シート（４２０）は、ステッピングモーター（図示なし）によって駆動され所定の速度で３６０°回転可能とする。前記ランプ（４１０）は、ＬＥＤランプまたは白熱灯である。
【００２７】
上述のように、本発明により提供されるフルイメージの記録およびフルイメージの再建方法は、オプティカルの結像記録ならびに再建経路に偏光シートの使用により従来の欠点と課題を解決でき、下記のようなメリットを達成できるので、産業上の使用価値がある。
【００２８】
本発明の特徴とメリットは、偏光方向が等しいオブジェクトライトとレファレンスライトを利用すると共に、フルイメージフィルムに照射して露光を行うことにより、サイズがより小さいフルイメージが製作することができる（１ｃｍ×１ｃｍより小さい）。また、本発明では、オプティカル経路において偏光シートが使用されるため、従来の円盤型の複合式ホログラフィーに使用されるシリンダーレンズを使用しないため、イメージの変形を起こさなく、しかも“ピケット・フェンス効果”もなくすことができる。また、イメージの再建する時に、より高い高さでサイズが拡大される２次元の浮遊イメージを表すことができ、３６０°のイメージを提供することにより、３次元の立体フルイメージを表示することができる。
【００２９】
上述の説明は、本発明の好適な実施例に対する具体的な説明であるが、これらの実施例は本発明における特許請求の範囲を限定するものではなく、本発明の要旨に基づいてこれらの実施例の効果と等しい変形や変更して本発明を完成することができ、これらの変形や変更が本発明における特許請求の範囲に含まれるべきである。
【符号の説明】
【００３０】
１００  フルイメージの撮影および記録装置
１１０  フルイメージの撮影装置
１１１  イメージ取得装置
１１２  回転ステージ
１１３  目標物体
１２０  フルイメージ記録装置
１２１  発光ユニット
１２２  第１反射ミラー
１２３  スペクトロスコピー
１２４  第１偏光シート
１２５  第２反射ミラー
１２６  表示パネル
１２７  第１偏光シート
１２８  第３反射ミラー
１２９  フルイメージフィルム
２１０  フルイメージフィルム
４００  フルイメージの再建装置
４１０  ランプ
４２０  偏光シート
４３０  フルイメージフィルム
Ｐ１  第１オプティカル経路
Ｐ２  第２オプティカル経路
【図１】
2018508028.tif 000003
【図２ａ】
2018508028.tif 000004
【図２ｂ】
2018508028.tif 000005
【図２ｃ】
2018508028.tif 000006
【図３】
2018508028.tif 000007
【図４ａ】
2018508028.tif 000008
【図４ｂ】
2018508028.tif 000009
【図４ｃ】
2018508028.tif 000010
【図５】
2018508028.tif 000011
【国際調査報告】
2018508028.tif 000012
2018508028.tif 000013
2018508028.tif 000014
2018508028.tif 000015